(57)【要約】【課題】  簡単な構造によりワンタッチで、しかも大きな力を必要とすることなく布団を固定することができ、且つ固定した後は布団が脱落することなく、併せて製造容易で、製造コストの低減化をも実現しうる布団挟みを提供することを目的とする。【解決手段】  Ｘ状に交叉した締付金具３の一端に一対の挟持片２，２を水平方向に相対向して取り付け、前記締付金具３の他端に前記一対の挟持片２，２を開く方向に付勢するバネ部材４を形成し、前記締付金具３のＸ状に交叉した交叉部３０に保持リング５を密着して嵌合するようにした。【選択図】図１
0003123674.tif 000002
【実用新案登録請求の範囲】
【請求項１】
Ｘ状に交叉した締付金具の一端に一対の挟持片を水平方向に相対向して取り付け、
前記締付金具の他端に前記一対の挟持片を開く方向に付勢するバネ部材を形成し、
前記締付金具のＸ状に交叉した交叉部に保持リングを密着して嵌合するようにしたことを特徴とする、布団挟み。
【考案の詳細な説明】
【技術分野】
【０００１】  この考案は、布団をベランダの手摺等に掛けて干す際に、布団を固定するための布団挟みに関するものである。
【背景技術】
【０００２】  従来この種の布団挟みとしては、図６（Ａ）に示すように一対のアーム部材２ａ，２ａをその一端３ａにて回動可能に連結し、ばね４ａでアーム部材２ａ，２ａを常時閉じるようにしたものや、図６（Ｂ）に示すように高層マンションなど風が強く当たる場所でも布団６ａが落下しないように、アーム部材２ａ，２ａの回動を阻止するロック機構７ａ，８ａを設けたもの等がある。
【考案の開示】
【考案が解決しようとする課題】
【０００３】  従来の布団挟みでは、次のような問題点がある。
＜イ＞図６（Ａ）の布団挟み１ａでは、ばね４ａの力が十分でないと布団６ａが風を受けてまくれたときに布団挟み１ａが外れ、布団６ａが飛ばされることが往々にしてある。
＜ロ＞ばね４ａの力を大きくすると、アーム部材２ａ，２ａを手で開く際に大きな力が要求され、比較的力の弱い人、特に一部の女性や子供にとっては、アーム部材２ａ，２ａを手で開く作業が困難である。
＜ハ＞図６（Ｂ）に示すものは、フック７ａをピン８ａに掛けるために一対のアーム部材２ａ，２ａを閉じるように保持する操作と、その後にフック７ａを掛けるという二重の操作が必要となるとともに、一定の強度のあるロック機構（フック７ａ、ピン８ａ）を必要とするため、部品コストおよび組み立てコストが生じるという課題がある。【０００４】  本考案は、以上の問題点に鑑みて考案したもので、簡単な構造によりワンタッチで、しかも大きな力を必要とすることなく布団を固定することができ、且つ固定した後は布団が脱落することなく、併せて製造容易で、製造コストの低減化をも実現しうる布団挟みを提供することを目的としている。
【課題を解決するための手段】
【０００５】  上記のような目的を達成するために、本考案の布団挟みは、Ｘ状に交叉した締付金具の一端に一対の挟持片を水平方向に相対向して取り付け、前記締付金具の他端に前記一対の挟持片を開く方向に付勢するバネ部材を形成し、前記締付金具のＸ状に交叉した交叉部に保持リングを密着して嵌合するようにしたことを特徴とするものである。【０００６】  上記構成によれば一対の挟持片とバネ部材は、交叉部を支点にして交互に開閉する構造であるから、一対の挟持片を開いて布団に跨がせ、それから挟持片を互いに押し付ければ挟持片が布団を挟むことになる。
即ち、挟持片を押し付けることによって交叉部の位置が下方へ移動し、交叉部の下方移動とともに保持リングもその嵌合状態を保ちながら下方へ移動する。
交叉部に密着して嵌合する保持リングは、その内面側が交叉部の傾斜面に密着しているため、保持リングの上方への移動が規制され、締め付けられた挟持片はその間隔を開くことはない。
したがって、挟持片は布団を確実に挟みつづけることができる。
一方、バネ部材を挟んで押すことによって、前記と逆に挟持片の締付が解放されるので、簡単に布団から布団挟みを取り外すことができる。
【考案の効果】
【０００７】  本考案は、以上説明したようになるから、次のような効果を得ることができる。
＜イ＞布団を挟む場合は、一対の挟持片を開いて外から布団を跨ぐようにして差し込み、挟持片を押して布団を挟みつけるだけでよく、大きな力を必要とすることなく、ワンタッチで簡単に行うことができる。
＜ロ＞保持リングが締付金具の傾斜面に密着し、保持リングの上方への移動が規制され、挟持片の締付が継続されるので、布団が下方にずり落ちることがない。
＜ハ＞線鋼材を折り曲げて締付金具を形成し、これに一対の挟持片とバネ部材を取り付けるとともに保持リングを嵌合させるだけでよいので、製造容易で、製造コストの低減化を実現することができる。
【考案を実施するための最良の形態】
【０００８】  以下、図面を参照しながら、本考案に係る実施の形態について説明する。
図１は布団に布団挟みを取り付けた状態を示す斜視図である。
図２は布団挟みを開いた状態を示す図で、図３は布団挟みを閉じた状態を示す図である。
図４は布団に他の布団挟みを取り付けた状態を示す斜視図である。
図５は締付金具の作動状態を示す説明図である。【０００９】＜イ＞布団挟み
図１に示すように、布団挟み１は一対の挟持片２，２、締付金具３、バネ部材４及び保持リング５とからなる。
水平方向に相対向して配置された挟持片２，２は、例えば金属またはプラスチック等で構成してある。
挟持片２，２を金属で構成した場合は、布団６を傷つけることがないように全体を軟質のプラスチック等で覆っておく。
布団６を挟む直線部分には、その相対向する内面に摩擦係数の大きな材質よりなる滑り止めを取り付けておくとよい。
また布団６を挟む部分は、布団６を強く押し潰すことがないように接触面積を大きくし、そして滑りにくくするために波状に挟むように、例えば食い違う凹凸を設けてもよい。【００１０】＜ロ＞締付金具
締付金具３は、例えば２本の線鋼材を折り曲げて構成され、締付金具３の一端に一対の挟持片２，２を取り付け、他端にバネ部材４を取り付けてある。
図１〜図３で分かるように、締付金具３は、互いに交叉する傾斜面３１，３２を持つように折り曲げられて、Ｘ状の交叉部３０が形成されている。
バネ部材４は、一対の挟持片２，２を開く方向に付勢しており、バネ力に抗してその外側を指で押すことができるように鞍状に形成している。
締付金具３の交叉部３０に、外方より密着して環状の保持リング５を嵌めてある。
この保持リング５と前記のバネ部材４との協働によって締付金具３を拘束し、締付金具３を所定の状態に維持するようになっている。
即ち、図２に示すようにバネ部材４を押し付けると一対の挟持片２，２は開き、図３に示すように挟持片２，２を互いに押し付けると、押し付けた量だけ挟持片２，２は間隔を狭めることになる。【００１１】＜ハ＞締付金具の作動状態
図５から分かるように一対の挟持片２，２とバネ部材４との関係は、締付金具３がＸ状に交叉することによって形成される交叉部３０を支点にして交互に開閉する構造となっている。
したがって、一対の挟持片２，２の間隔を狭めると、締付金具３の交叉部３０は下方（挟持片２，２側）へ移動し、交叉部３０に嵌合している保持リング５もその嵌合状態を保ちながら下方へ移動し、締付金具３は２点鎖線で示す状態となる。
このとき保持リング５の内面側は、締付金具３（交叉部３０）の傾斜面３１，３２に密着しているため、保持リング５の上方への移動が規制され、挟持片２，２の締付を継続するとともに挟持片２，２を開くことができないようになっている。【００１２】  逆にバネ部材４の外側を押し付けてその間隔を狭めると（図５の２点鎖線から実線の状態にする）、保持リング５の移動規制を解除するとともに交叉部３０は上方（バネ部材４側）へ移動し、交叉部３０に嵌合している保持リング５もその嵌合状態を保ちながら上方へ移動し、締付金具３の挟持片２，２への締付が解放されるようになっている。【００１３】＜ニ＞布団挟みの使用方法
実際に布団６を布団挟み１で挟む場合の手順を説明する。
先ず、布団６をベランダの手摺７等に掛け、図２に示すようにバネ部材４の外側を指で押して挟持片２，２を開いておく。
バネ部材４から手を離しても、保持リング５の内面側が交叉部３０の傾斜面３１，３２に密着しているので、挟持片２，２は開いたままとなっている。
図１に示すように挟持片２，２が布団６を外から跨ぐように差し込み、手で挟持片２，２を押し付けながら布団６を挟みつける。
この場合、布団６が多少凹む程度まで挟持片２，２で挟みつける。
挟持片２，２から手を離しても保持リング５の内面側が交叉部３０の傾斜面３１，３２に密着しているので、挟持片２，２は開くことなく締付は継続しており、布団６は確実に手摺７に固定されてずり落ちることがない。【００１４】  一方、取り外しの際は、図２に示すように手でバネ部材４の外側を押し付けると、前記と逆に一対の挟持片２，２が容易に開くので、簡単に布団６から布団挟み１を取り外すことができる。【００１５】  このように開いている挟持片２，２を布団６を挟み込む方向へ移動させるだけの簡単な動作により布団６が確実に保持され、バネ部材４の外側を指で押し付けることで布団６から布団挟み１を取り外すことができるものである。【００１６】  従来のバネを用いた布団挟みでは、バネ復帰力はバネ定数等により挟持片をある程度開いたときでなければ作用しないため、肌掛けや夏布団のように薄めの布団を固定する場合はバネ復帰力が十分に作用せず、薄い布団を確実に固定することができなかった。
本考案の布団挟み１によればバネ復帰力に関係なく、保持リング５とバネ部材４との協働によって締付金具３を拘束し、締付金具３を所定の状態に維持しているため、挟持片２，２は開くようなことがなく、薄い布団でも確実に固定することができる。【００１７】  図４に他の布団挟み１を布団６に取り付けた例を示す。
本例は、バネ部材４を用いることなく、可撓性のある１本の線鋼材を折り曲げて締付金具３をバネ状に構成している。
即ち、締付金具３の両端に一対の挟持片２，２を取り付け、中間部を互いに交叉する傾斜面３１，３２を持つように折り曲げてＸ状の交叉部３０を形成し、さらに略円形に折り曲げて押圧部３４を形成し、折り返している。
このため、折返し部３５を頂点に下方に一対の挟持片２，２を取り付けたバネ状の締付金具３が構成されることになる。【００１８】  本例では、１本の線鋼材を折り返して締付金具３を構成しているが、２本の線鋼材を用いて、折返し部３５の箇所でバネ性を損なうことなく結合してもよい。
前記の場合と同じように締付金具３の交叉部３０に、外方より密着して環状の保持リング５を嵌めてあり、この保持リング５とバネ状の折返し部３５との協働によって締付金具３を拘束し、締付金具３を所定の状態に維持するようになっている。
押圧部３４を押し付けると一対の挟持片２，２は開き、挟持片２，２を互いに押し付けると、押し付けた量だけ挟持片２，２は間隔を狭める。【００１９】  このため、開いている挟持片２，２を布団６を挟み込む方向へ移動させることで布団６を確実に保持し、押圧部３４の外側を指で押し付けることで布団６から布団挟み１を簡単に取り外すことができる。
【図面の簡単な説明】
【００２０】
【図１】布団に布団挟みを取り付けた状態を示す斜視図。
【図２】布団挟みを開いた状態を示す図。
【図３】布団挟みを閉じた状態を示す図。
【図４】布団に他の布団挟みを取り付けた状態を示す斜視図。
【図５】締付金具の作動状態を示す説明図。
【図６】従来の布団挟みを示す図で、（Ａ）はアーム形状の布団挟み、（Ｂ）はロック機構を設けた布団挟みを示す図。
【符号の説明】
【００２１】１・・・・布団挟み
２・・・・挟持片
３・・・・締付金具
３０・・・交叉部
３１，３２・・・傾斜面
３４・・・押圧部
４・・・・バネ部材
５・・・・保持リング
６・・・・布団
【図１】
0003123674.tif 000003
【図２】
0003123674.tif 000004
【図３】
0003123674.tif 000005
【図４】
0003123674.tif 000006
【図５】
0003123674.tif 000007
【図６】
0003123674.tif 000008